(57)【要約】      （修正有）【課題】免震性向上と同時に、宗教的な意義のため、墓石に免震性を付与する構造であると同時に、ご本尊の廻りを囲んで守護する四天王の役割を課すことが可能な免震性構築物の開発である。【解決手段】さお石乃至中間台と、土台の間に転倒防止用シートを挿入してなる免震性構築物において、該転倒防止用シートが、着色した弾性材料片と、該弾性材料片中に存在する金属球と、ドーナツ型金属リングからなる構造の免震性構造物であることを特徴とする免震性構築物であり、免震性構築物に使用する弾性剤の着色として、赤、青（緑）、黒、白の四色であることを特徴とする免震性構築物。【選択図】  図４
0003118167.tif 000002
【実用新案登録請求の範囲】
【請求項１】
さお石乃至中間台と、土台の間あるいはさお石と中間台の間に転倒防止用シートを挿入してなる免震性構築物において、
該転倒防止用シートが、着色した弾性材料片と、該弾性材料片中に存在する金属球とから構成されていることを特徴とする免震性構築物。
【請求項２】
さお石乃至中間台と、土台の間あるいはさお石と中間台の間に転倒防止用シートを挿入してなる免震性構築物において、
該転倒防止用シートが、着色した弾性材料片と、該弾性材料片中に存在するドーナツ型金属リングから構成されていることを特徴とする免震性構築物。
【請求項３】
さお石乃至中間台と、土台の間あるいはさお石と中間台の間に転倒防止用シートを挿入してなる免震性構築物において、
該転倒防止用シートが、着色した弾性材料片と、該弾性材料片中に存在する金属球及びドーナツ型金属リングから構成されていることを特徴とする免震性構築物。
【請求項４】
請求項１〜３において、さお石乃至中間台と、土台の間あるいはさお石と中間台の間に挿入されて転倒防止用シートは、該免震性構築物１基当たり、少なくとも四個使用されていることを特徴とする免震性構築物。
【請求項５】
請求項１〜４において、転倒防止用シートを構成している弾性剤の着色として、赤、青（緑）、黒、白の四色であることを特徴とする免震性構築物。
【請求項６】
請求項１〜３において、転倒防止用シートを構成している弾性剤は１枚のシートからなり、該シートの辺または角の一部が着色され、着色として、赤、青（緑）、黒、白の四色であることを特徴とする免震性構築物。
【請求項７】
請求項１、請求項３において、該弾性材料片中に存在する金属球は、弾性材料片１個当たり１個の金属球であることを特徴とする免震性構築物。
【請求項８】
請求項２、請求項３において、該弾性材料中に存在するドーナツ型金属リングは、金属球１個当たり１個であることを特徴とする免震性構築物。
【請求項９】
請求項６において、弾性材料の着色部分に金属球或いは（及び）ドーナツ型金属リングを有することを特徴とする免震性構築物。
【考案の詳細な説明】
【技術分野】
【０００１】
本考案は、免震性が付与された墓石や、顕彰碑などの構築物に関し、さらに詳しくは、方角についての古来の慣習に従い着色した弾性剤を使用した転倒防止用シートを挿入してなる免震性構築物に関する。
【背景技術】
【０００２】
地震などにより墓石などが倒壊することは広く経験されるところである。このような墓石の倒壊防止のため種々の方法が提案されている。例えば、さお石を頂部として上台、中台、下台と積み重ねた墓石において、さお石の中腹部から上台、中台とを貫通し下台の中腹部に達する貫通孔を設け、該貫通孔に金属棒を嵌合し、金属棒と貫通孔との間には軟質材料の緩衝中空筒を介在させ、該緩衝中空筒の外径と貫通孔の内径とは緩く嵌合し、さお石と上台との接合面には互いの回転を阻止し固着する結合ピンを埋め込んだ墓石が開示されている（特許文献１）。
墓石ブロックを積み重ねた構造の耐震墓石であって、該墓石ブロックの間に弾性緩衝材が存在することを特徴とする耐震墓石が開示されている（特許文献２）。
【０００３】
【特許文献１】特開２００５−１８０１３０号公報
【特許文献２】特開平１１−９３４６０号公報
【０００４】
しかし、従来の公知技術においては、構造が複雑であったり、構築物は、重量があるため、使用中に変形したりしてしまう。本考案においては、さお石乃至中間台と土台の間に金属球を用いた転倒防止用シートを挿入することにより免震性を付与するのであるが、しかし墓などは宗教的な目的のため設けられるのであり、転倒防止シートに宗教的意味を追加することが可能であれば、営業政策上好都合であり、製品の付加価値も上昇する。
【考案の開示】
【考案が解決しようとする課題】
【０００５】
そこで本考案の目的は、免震性向上と同時に、宗教的な意義のため、墓石に免震性を付与する構造であると同時に、ご本尊の廻りを囲んで守護する四神又は四天王の役割を課すことが可能な免震性構築物の開発である。
【課題を解決するための手段】
【０００６】
すなわち、本考案の免震性構築物は、以下の特徴を有する。
（１）  さお石乃至中間台と、土台の間あるいはさお石と中間台の間に転倒防止用シートを挿入してなる免震性構築物において、該転倒防止用シートが、着色した弾性材料片と、該弾性材料片中に存在する金属球
から構成されていることを特徴とする。
（２）  さお石乃至中間台と、土台の間あるいはさお石と中間台の間に転倒防止用シートを挿入してなる免震性構築物において、該転倒防止用シートが、着色した弾性材料片と、該弾性材料片中に存在するドーナツ型金属リングから構成されていることを特徴とする。
（３）  さお石乃至中間台と、土台の間あるいはさお石と中間台の間に転倒防止用シートを挿入してなる免震性構築物において、該転倒防止用シートが、着色した弾性材料片と、該弾性材料片中に存在する金属球及びドーナツ型金属リングから構成されていることを特徴とする。
（４）  （１）〜（３）において、さお石乃至中間台と、土台の間あるいはさお石と中間台の間に挿入されて転倒防止用シートは、該免震性構築物１基当たり、少なくとも四個使用されていることを特徴とする。
（５）  （１）〜（４）において、転倒防止用シートを構成している弾性剤の着色として、赤、青（緑）、黒、白の四色であることを特徴とする。
（６）  （１）〜（３）において、転倒防止用シートを構成している弾性剤は１枚のシートからなり、該シートの辺または角の一部が着色され、着色として、赤、青（緑）、黒、白の四色であることを特徴とする免震性構築物。
（７）  （１）、（３）において、該弾性材料片中に存在する金属球は、弾性材料片１個当たり１個の金属球であることを特徴とする。
（８）  （２）、（３）において、該弾性材料中に存在するドーナツ型金属リングは、金属球１個当たり１個であることを特徴とする。
（９）  （６）において、弾性材料の着色部分に金属球或いは（及び）ドーナツ型金属リングを有することを特徴とする。
【０００７】
本考案において、構築物とは、墓石、顕彰碑、記念碑など人が住む目的以外に作成された建造物をいうが、本考案の構築物の主要な対象は墓石である。墓石は、地震に際して比較的人身事故が少なく、免震に関して考慮されることが少なかったためである。そして、墓石は通常、地面近い部分にある墓石土台、上部にある墓石さお石から構成される。場合により、墓石土台と、墓石さお石の間に墓石中間台が存在する場合もある。そして墓石、顕彰碑、記念碑などは通常、石で作成され重量があり、風雨に対しては強いのであるが地震に際しては倒壊しやすのである
【０００８】
本考案において、球状体に使用できる金属としては、好ましくは、スズ、ハンダ、ステンレス、鉛、真ちゅう、銅、金メッキ・銀メッキした真ちゅうをあげることができる。金・銀・白金などの貴金属は高価すぎるし、亜鉛などでは、使用中酸化しやすいからである。
【０００９】
本考案における、球状体とは、球、楕円球、角を丸くした立方体、角を丸くした円柱などをあげることができる。使用する球状体の径は半径が０．５〜２０ミリメートルが好ましい。０．５ミリメートルより小さいと弾性体の厚みが必然的に小さくなり、２０ミリメートルより大きくなると、効果が飽和するからである。本考案において、球状体を使用することにより、さお石、中間台の荷重を支えることが可能である。
【００１０】
本考案において、使用する弾性体としては、ポリウレタン、シリコンゴム、天然ゴム、スチレン・ブタジエン・アクリロニトリル系ゴムなどの合成ゴムをあげることができる。
【００１１】
本考案において、弾性体の着色は、好ましくは、青（緑）、赤、白、黒に着色される。四方の神を表す四神は、東（青龍）：青（緑）、南（朱雀）：赤、西（白虎）：白、北（玄武）：黒とされるからである。着色には、有機顔料、無機顔料、染料が使用できるが、一般には有機顔料、無機顔料が好ましい。無機顔料としては、青（緑）：群青など、赤：ベンガラなど、白：酸化チタン、酸化亜鉛など、黒：カーボンブラックなどを使用できる。有機顔料としては、アゾ顔料、フタロシアン顔料などを用いることができる。なお、四方の神を表すための着色した着色弾性体を使用する以外に、無色透明の弾性体を併用することも可能であり、無色透明の場合、宗教的意義は存在しない。
【００１２】
本考案において使用されるドーナツ型金属リングにおけるドーナツ型とは、円柱の中心部が欠落した構造の輪型の形状をいう。欠落部の径を球状体の径より大きくすれば、墓石土台上又は墓石中間台上に置いたとき、ドーナツ型金属リングの中心部に球状体を置くことが可能であり、結果としてドーナツ型金属リングは、球状体の移動防止壁となすことが可能となる。なお、球状体を併用しないときは、ドーナツ型金属リングが、墓石さお石、墓石中間台の荷重を支えることが可能である。
【００１３】
ドーナツ型金属リングに使用される金属は、金属球に使用される金属と同一であり、具体的には、好ましくは、スズ、ハンダ、ステンレス、鉛、真ちゅう、銅、金メッキ・銀メッキした真ちゅう、銅をあげることができる。
【００１４】
本考案において、着色した弾性材料片と、該弾性材料片中に存在する金属球と、ドーナツ型金属リングから構成されている転倒防止用シートは、通常四個一組で使用され、各々は、青（緑）、赤、白、黒に着色されている。転倒防止用シートを施工するに際しては、青（緑）は東に、赤は南に、白は西に、黒は北に配置される。
【００１５】
００１４において、転倒防止シートは４個使用しているが、本考案の別の方式として、転倒防止用シートを構成している弾性剤は１枚のシートからなり、該シートの辺または角の一部が着色され、着色として、赤、青（緑）、黒、白の四色とし、着色している弾性材料の部分に金属球或いは（及び）ドーナツ型金属リングを配置することもできる。
【００１６】
このように配置することにより、ご本尊を東に「持国天」、南に「増長天」、西に「広目天」、北に「多聞天」がガードするように、余分な浮遊霊や邪悪なもの近づくのをガードすると信じられているのである。転倒防止シートに、青龍、朱雀、白虎、玄武を表す絵柄を印刷したり、これら絵柄を印刷した紙を挿入したりして、より強力にガードさせることも可能である。
【００１７】
本考案において、転倒防止シートは、切離しのための目印などの目的で、ナイフなどで切り離しが容易な、好ましくは溝が形成され連なった状態の転倒防止シートとして作成される。弾性体は、通常液状の前駆体から作成されるのであるか、作成に際し、予め、金属球、ドーナツ型金属リングを金型などに配置しておき、液状の弾性体の前駆体を金型などに流し込み、連なった状態の転倒防止シートとする。次に金型から連なった状態の転倒防止シートを取り出し、切り離して転倒防止シートとする。
【考案を実施するための最良の形態】
【００１８】
図１は、墓石さお石３と、墓石中間台４と、墓石土台２と、墓石さお石３と墓石中間台４の間及び墓石中間台４と墓石土台２の間に、転倒防止シート８を挿入した免震性墓石の正面図である。
【００１９】
図２は、図１で示す墓石において、転倒防止シート８の配置状況を示す墓石土台２の平面図である。４個の転倒防止用シートが配置され北側の位置の転倒防止シートは、弾性体は黒色、南側の転倒防止用シートは赤色、東側の転倒防止シートは青（緑）色、西側の転倒防止シートは顔料で白色に着色されている。
【００２０】
図３は、墓石土台２と墓石中間台４の間に、着色弾性体５、該着色弾性体の厚みより大きい寸法の径の金属球６、着色弾性体の厚みより小さい径のドーナツ型金属リング７を設けた、図２Ａ−Ｂで示す位置の墓石の部分断面図である。図３において、墓石中間台、墓石さお石の荷重が長期間かけられると、金属球６は変形して着色弾性体５の厚みと同じになる。
【００２１】
図４は、図２で示す墓石の東西南北の配置位置を変更し、これに伴って転倒防止シートの配置状況を変更した場合の墓石土台２の平面である。４個の転倒防止用シートが配置され北側の位置の転倒防止シートは、着色弾性体は黒色、南側の転倒防止用シートは赤色、東側の転倒防止シートは青（緑）色、西側の転倒防止シートは顔料で白色に着色されている。
図５は、転倒防止用シートを構成している弾性剤は１枚のシートからなり、該シートの辺または角の一部が着色され着色弾性シート５とし、他の部分は着色せず非着色弾性シート９となり着色弾性シート５には、該着色弾性体の厚みとより大きい寸法の径の金属球６、着色弾性体の厚みより小さい径のドーナツ型金属リング７を設けている免震性構築物の土台２の平面図である。着色として、赤、青（緑）、黒、白の四色である。
【００２２】
以上の説明によって明らかな様に、本考案による転倒防止シートは、以下に列挙した如き、実用上の好ましい効果を奏する。
（ａ）従来から存在する墓等の構築物に対し、土台と中間台の間、中間台とさお石の間などの間に挿入することで有効であり、地震などの災害から墓などの構築物を保護することが可能である。
（ｂ）従来から存在する墓を大幅に変更することなく実施可能であり改造費用も低く抑えることがかのである。
（ｃ）転倒防止シートに使用する部材は環境に対する影響が少なく安全性が高い。
（ｄ）転倒防止シートに使用する弾性体を着色することにより宗教上の意義を付加することが可能である。
【図面の簡単な説明】
【００２３】
【図１】墓石さお石と、墓石中間台と、墓石土台と、墓石さお石と墓石中間台の間及び墓石中間台と墓石土台の間に、転倒防止シートを挿入した免震性墓石の正面図である。
【図２】図１で示す墓石において、転倒防止シートの配置状況を示す墓石中間台の平面図である。
【図３】墓石土台と透明体を嵌め込んだ墓石中間台の間に、着色弾性体、該着色弾性体の厚みとより大きい寸法の径の金属球、弾性剤の厚みより小さい径のドーナツ型金属リングを設けた、図２Ａ−Ｂで示す位置の墓石の部分断面図である。
【図４】図２で示す転倒防止シートの配置状況を変更した場合の墓石中間台の平面である。
【図５】転倒防止用シートを構成している弾性剤は１枚のシートからなり、該シートの辺または角の一部が着色され着色弾性シートとし、他の部分は着色せず非着色弾性シートとし、着色弾性シートには、該着色弾性体の厚みとより大きい寸法の径の金属球、着色弾性体の厚みより小さい径のドーナツ型金属リングを設けている免震性構築物の土台の平面図である。着色として、赤、青（緑）、黒、白の四色である。
【符号の説明】
【００２４】
１      墓
２      墓石土台
３      墓石さお石
４      墓石中間台
５      着色弾性体
６      金属球
７      ドーナツ型金属リング
８      転倒防止シート
９      非着色弾性体
Ａ、Ｂ  断面図の切断位置を示す。
【図１】
0003118167.tif 000003
【図２】
0003118167.tif 000004
【図３】
0003118167.tif 000005
【図４】
0003118167.tif 000006
【図５】
0003118167.tif 000007